(57)【要約】      （修正有）【課題】並べ替えや削除等の編集フローの手番を少なくする撮像装置を提供する。【解決手段】記録媒体に記録された複数の動画ファイルを編集する動画編集装置であって、複数の動画から、指定した動画を選択する動画選択手段Ｓ３０６と、動画選択手段で選択した複数の動画ファイルをチャプター単位で並べて表示する表示手段と、複数の動画ファイルがチャプター単位で並んでいる状態から、指定したチャプター位置を移動する移動手段Ｓ３０７と、複数の動画ファイルがチャプター単位で並んでいる状態から、指定したチャプターを削除する削除手段Ｓ３０７と、複数の動画選択手段を実施後、チャプター移動手段とチャプター削除手段とで複数の動画より収集されたチャプター単位の動画の並びを確定した後に、１つのファイルに結合して記録する結合手段Ｓ３０８と、を有する。【選択図】図３
2019110374.tif 000002
【特許請求の範囲】
【請求項１】
記録媒体に記録された複数の動画ファイルを編集する動画編集装置であって
前記複数の動画から、指定した動画を選択する動画選択手段と
前記動画選択手段で選択した複数の動画ファイルをチャプター単位で並べて表示する表示手段と
前記複数の動画ファイルがチャプター単位で並んでいる状態から、指定したチャプター位置を移動する移動手段と
前記複数の動画ファイルがチャプター単位で並んでいる状態から、指定したチャプターを削除する削除手段と、
前記複数の動画選択手段を実施後、前記チャプター移動手段と前記チャプター削除手段とで
複数の動画より収集されたチャプター単位の動画の並びを確定した後に、
１つのファイルに結合して記録する結合手段と、
を有することを特徴とする動画編集装置。
【請求項２】
記録媒体に記録された複数の動画ファイルを編集する動画編集装置であって
前記複数の動画から、指定した動画を選択する動画選択手段と
前記動画選択手段で選択した複数の動画ファイルをチャプター単位で並べて表示する表示手段と
前記複数の動画ファイルがチャプター単位で並んでいる状態から、指定したチャプター位置を移動する移動手段と
前記複数の動画ファイルがチャプター単位で並んでいる状態から、指定したチャプターを削除する削除手段と、
前記複数の動画選択手段を実施後、前記チャプター移動手段と前記チャプター削除手段とで
複数の動画より収集されたチャプター単位の動画の並びを確定した後に、
１つのファイルに結合して記録する結合手段と、
を有することを特徴とする撮像装置。
【請求項３】
記録媒体に記録された複数の動画ファイルを編集する動画編集装置であって
前記複数の動画から、指定した動画を選択する動画選択手段と
前記動画選択手段で選択した複数の動画ファイルをチャプター単位で並べて表示する表示手段と
前記複数の動画ファイルがチャプター単位で並んでいる状態から、指定したチャプター位置を移動する移動手段と
前記複数の動画ファイルがチャプター単位で並んでいる状態から、指定したチャプターを削除する削除手段と、
前記複数の動画選択手段を実施後、前記チャプター移動手段と前記チャプター削除手段とで
複数の動画より収集されたチャプター単位の動画の並びを確定した後に、
１つのファイルに結合して記録する結合手段と、
を有することを特徴とする携帯端末。
【発明の詳細な説明】
【技術分野】
【０００１】
本発明は，機器に係る条件の設定を行える電子機器の制御方法、プログラム及び記録媒体に関する。
【背景技術】
【０００２】
近年、動画ファイルを記録/再生/編集する装置として光ディスク、ハードディスクドライブ、メモリカード等のランダムアクセス可能な記録媒体を用いたデジタルカメラやデジタルビデオカメラが普及している。特にデジタルビデオカメラでは、動画を長時間記録することが可能で、大容量のメモリカードでは、一回の撮影で数時間以上の撮影が可能なものもある。
【０００３】
また、１つの動画ファイルに動画記録時に追記してチャプター単位に録画するような方法で一つの動画ファイルを作成するような機能がある
また、複数ファイルからファイルを跨いでいる動画の一部を切り出して跨いでいる部分を結合するような情報機器が提案されている。
【先行技術文献】
【特許文献】
【０００４】
【特許文献１】特開2017-46230号公報
【発明の概要】
【発明が解決しようとする課題】
【０００５】
しかし、複数の動画を結合して新たな動画を生成するような動画編集フローにおいて、特にチャプター単位で並び替えをしたいときや、あるチャプターだけを削除したいようなとき、編集フローの最初のステップでチャプター単位で表示してしまうと、対象となるチャプターをひとつずつ選択していくのは面倒で手番が多くなってしまう。
【０００６】
そこで本発明は、上述した問題に鑑みてなされたものであり、並べ替えや削除等の、編集フローの手番が少なくなることができる撮像装置を提供することを目的とする。
【課題を解決するための手段】
【０００７】
本発明の動画編集装置は、記録媒体に記録された複数の動画ファイルを編集する動画編集装置であって
前記複数の動画から、指定した動画を選択する動画選択手段と
前記動画選択手段で選択した複数の動画ファイルをチャプター単位で並べて表示する表示手段と
前記複数の動画ファイルがチャプター単位で並んでいる状態から、指定したチャプター位置を移動する移動手段と
前記複数の動画ファイルがチャプター単位で並んでいる状態から、指定したチャプターを削除する削除手段と、
前記複数の動画選択手段を実施後、前記チャプター移動手段と前記チャプター削除手段とで
複数の動画より収集されたチャプター単位の動画の並びを確定した後に、
１つのファイルに結合して記録する結合手段と、
を有することを特徴としている。
【発明の効果】
【０００８】
本発明によれば、編集対象としない動画チャプターが並べ替えや削除する画面で表示しないため、編集フローの手番が少なくなる。
【図面の簡単な説明】
【０００９】
【図１】本発明の撮像装置の一例としてのデジタルカメラの外観図である。
【図２】本実施形態のデジタルカメラの構成を示すブロック図である。
【図３】MENU選択よりアルバム編集処理でのフローチャートである。
【図４】動画選択処理のフローチャートである。
【図５】並べ替えおよび消去編集処理のフローチャートである。
【図６】効果付加および保存処理のフローチャートである。
【図７】（ａ）（ｂ）（ｃ）（ｄ）  アルバム編集での各処理の画面例を示す作例である。
【発明を実施するための形態】
【００１０】
以下、添付の図面を参照して本発明の好適な実施形態について説明する。なお、以下に説明する実施形態では、本発明に係る電子機器が、静止画像と動画との撮影が可能なデジタルカメラである撮像装置に適用した場合を例にして説明する。
【００１１】
［デジタルカメラの構成について］
図１は本発明の撮像装置の一例としてのデジタルカメラの外観を示す図である。表示部２８は画像や各種情報を表示する表示部である。シャッターボタン６１は撮影指示を行うための操作部である。モード切替ダイヤル６０は各種モードを切り替えるための操作部である。コネクタ１１２は接続ケーブル１１１とデジタルカメラ１００とのコネクタである。
【００１２】
操作部７０はユーザからの各種操作を受け付ける各種スイッチ、ボタン、タッチパネル等の操作部材より成る操作部である。コントローラホイール７３は操作部７０に含まれる回転操作可能な操作部材である。電源スイッチ７２は、電源オン、電源オフを切り替えるための押しボタンである。
【００１３】
記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。電子ダイヤル７４は回転可能な操作部材であり、切替ボタン７５は、この電子ダイヤルの操作を切り替える切替用の操作部材であり、操作部７０に含まれる。
【００１４】
図２ は、本実施形態によるデジタルカメラ１００の構成例を示すブロック図である。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１８】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１９】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００２０】
システムタイマー５３は各種制御に用いる時間や、内蔵された時計の時間を計測する計時部である。モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、メニューボタンに含まれるこれらのモードのいずれかに直接切り替えられる。
【００２１】
あるいは、モード切り替えスイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２３】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２４】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。
【００２５】
例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２６】
電子ダイヤル７４は、操作部７０に含まれる回転操作部材であり、コントローラホイール７３と同様に選択項目を指示する際などに使用される操作部材である。電子ダイヤル７４を回転操作すると、回転量（操作量）に応じた電気的なパルス信号が発生する。システム制御部５０は、このパルス信号に基づいてデジタルカメラ１００の各部を制御する。
【００２７】
切替ボタン７５は、電子ダイヤル７４に割り当てる機能を変更する部材である。システム制御部５０は、切替ボタン７５を押下するごとに、電子ダイヤル７４に割当る機能を順次切り替えるよう制御する。電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２８】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２９】
通信部５４は、無線または優先ケーブルによって接続し、映像信号や音声信号の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３０】
図７（a）〜（ｄ）に、動画編集処理の画面遷移表示例を示す。図７（a）は、MENU階層で、動画編集処理の開始を選択するアルバム選択項目の表示例である。図７（ｂ）は、MENUでアルバム編集選択後、複数動画ファイルの一覧表示し、動画の選択処理を行う、動画選択処理画面での表示例である。
【００３１】
図７（ｃ）は、動画編集処理画面より遷移した、動画のチャプター単位での並び替えおよび消去処理を行う、並び替えおよび消去処理画面での表示例である。図７（ｄ）は、編集した動画のチャプター組み合わせに、BGM効果やファイル保存処理を行う、効果付加および保存処理画面での表示例である。
【００３２】
以下、上記画面遷移を行う制御を、フローチャートを用いて説明する。
【００３３】
＜フローチャート＞
図３に、メニュー画面処理のフローチャートを示す。この処理は、この処理は、システム制御部５０が不揮発性メモリ５６に記録されたプログラムをメモリ５２に展開して実行することで実現する。カメラ起動後の撮影待機画面もしく再生画面において操作部材７０であるメニューボタンを押下確定されると図３の処理を開始する。S３０１では、システム制御部５０は表示部２８にメニュー画面を表示する。メニュー画面の表示例は前記した図８（a）に示したものである。S３０２では、システム制御部５０はメニュー画面に表示された選択肢項目のうち、アルバム編集メニューが選択確定されたか否かを判定する。すなわち、アルバム編集にカーソルを合わせた状態で操作部材７０の決定キーを押下する操作があったか否かの判定である。
【００３４】
以下、選択確定されたか否かの判定は、カーソルを合わせた状態で操作部材７０の決定キーを押下する操作があったか否かの判定であるものとする。アルバム編集メニューが選択確定された場合はＳ３０６に進み、そうでない場合はＳ３０３に進む。Ｓ３０３では、システム制御部５０は、表示された選択肢項目のうち、MENU終了処理を除くその他の選択肢項目が選択確定されたか否かを判定する。その他の選択肢項目が選択確定された場合はＳ３０４に進んで選択確定された項目に応じた処理を行い、そうでない場合はＳ３０５に進む。
【００３５】
Ｓ３０５では、システム制御部５０は、操作部材７０よりMENU処理終了であるMENUボタンを押下選択されたか否かを判定する。MENUボタンを押下選択された場合にはメニュー画面処理を終了して撮影待機画面に戻る。そうでない場合はＳ３０２に戻って処理を繰り返す。一方Ｓ３０６より、システム制御部５０は、アルバム編集処理を行う。S３０６では、システム制御部５０は、記憶媒体200に保存されている複数の動画ファイルより、選択された動画編集したい動画ファイルを記憶し、処理S３０７へ進む。この動画選択処理の詳細処理については図４で後述する。
【００３６】
S３０７では、システム制御部５０は、ステップS３０６で選択された複数動画ファイルをチャプター順に並べ、複数動画にまたがるファイルのチャプター単位での並び替えおよび削除処理を行い、処理S３０８へ処理が進む。この並び替えおよび消去編集処理の詳細処理については図5で後述する。S３０８では、選択した結果のチャプター単位の動画群のプレビュー再生や、効果音などの効果付加、保存処理を行い、動画編集処理を終了する。この効果付加および保存処理の詳細処理については図6で後述する。
【００３７】
図４に、図３のS306の詳細を示す動画選択処理のフローチャートを示す。この処理は、システム制御部５０が不揮発性メモリ５６に記録されたプログラムをメモリ５２に展開して実行することで実現する。S４０１では、システム制御部５０は、記憶媒体200に保存されている動画ファイルを検索し、動画ファイルの一覧情報を収取して、S４０２へ処理が進む。S４０2では、システム制御部５０は、収集した複数の動画ファイルの一覧を表示部２８に表示して、S４０３へ処理が進む。
【００３８】
S４０３では、システム制御部５０は、表示された動画がいくつ選択されているかを管理する動画選択カウンタを０にリセットして、S４０４に処理が進む。S４０４では、システム制御部５０は表示部２８に表示された動画一覧の選択項目のうち、いづれかの動画が選択確定されたか否かを判定する。動画を選択された場合は、S４０５へ処理が進み、動画を選択されていない場合は、S４１０へ処理が進む。S４０５では、システム制御部５０は、S４０４で選択した動画ファイルが、既に選択済の動画か否かを判断し選択済の動画では無い場合、S４０６へ処理が進み、既に選択済の動画ファイルであった場合、S４０８へ処理が進む。
【００３９】
S４０６では、システム制御部５０は、選択された動画情報をメモリ３２に記憶し、S４０７へ処理が進む。S４０７では、システム制御部５０は、動画がいくつ選択されているかを管理する動画選択カウンタを＋１してステップS４１０へ処理が進む。
【００４０】
一方、S４０８では、システム制御部５０は、選択された動画情報をメモリ３２より記憶削除し、S４０９へ処理が進む。S４０９では、システム制御部５０は、動画がいくつ選択されているかを管理する動画選択カウンタを−１してステップS４１０へ処理が進む。S４１０では、システム制御部５０は、動画選択処理を終了確定されたか否かを判定する。動画選択処理が終了選択された場合、S４１１へ処理が進み、終了選択されていない場合、S404へ処理が戻る。
【００４１】
S４１１では、システム制御部５０は、動画がいくつ選択されているかを管理する動画選択カウンタが１以上か否かを判断し、１以上であった場合、図３のS３０７の並び替えおよび消去編集処理へ処理が進む。一方、S４１１で、動画がいくつ選択されているかを管理する動画選択カウンタが０であった場合、図３のS３０３へ処理が進む。
【００４２】
図５に、図３のS307の詳細を示す並び替えおよび消去編集処理のフローチャートを示す。この処理は、システム制御部５０が不揮発性メモリ５６に記録されたプログラムをメモリ５２に展開して実行することで実現する。S５０１では、システム制御部５０は、図３のS306の詳細を示す動画選択処理で選択された複数の動画情報をメモリ３２より読みだして情報収取を行い、S５０２へ処理が進む。
【００４３】
S５０２では、システム制御部５０は、情報収取した動画ファイルのチャプター順をメモリ３２に記憶してステップS５０３へ処理が進む。S５０３では、システム制御部５０は、情報収取した動画ファイルのチャプターの一覧を表示部２８に並べて表示して、S５０４へ処理が進む。S５０４では、システム制御部５０は、チャプター編集状態に遷移させS５０５へ処理が進む。
【００４４】
S５０５では、システム制御部５０は、表示部２８に表示された編集処理項目の内、チャプター並び替え選択処理が選択確定されたか否かを判定する。チャプター並び替え選択処理が選択された場合、S５０６へ処理が進み、チャプター並び替え選択処理が選択されていない場合、S５１３へ処理が進む。S５０６では、システム制御部５０は、チャプター選択状態に遷移させ、処理S507へ処理が進む。S５０７では、システム制御部５０は、表示部２８に表示されたチャプター一覧の内、移動させたいチャプターを選択したか否かを判断し、チャプターが選択された場合、S５０８へ処理が進み、チャプターが選択されていない場合、S５１２へ処理が進む。
【００４５】
S５０８では、システム制御部５０は、チャプター移動状態に遷移させ、処理S５０９へ処理が進む。S５０９では、システム制御部５０は、S５０９で選択されたチャプターが移動したいチャプター位置に移動して確定されたか否かを判断し、移動後に確定されたと判断した場合は、S５１０へ処理が進み、確定されていないと判断した場合、S５１１へ処理が進む。S５１０では、システム制御部５０は、S５０２で記憶した動画ファイルのチャプター順を移動後のチャプター順情報で更新して、S５１１へ処理が進む。
【００４６】
S５１１では、システム制御部５０は、チャプター移動状態が終了されたか否かを判断し、終了された場合、S５０６へ処理が戻り、終了されていない場合、S５０９へ処理が戻る。S５１２では、システム制御部５０は、チャプター選択状態が終了されたか否かを判断し、終了された場合、S５０4へ処理が戻り、終了されていない場合、S５０7へ処理が戻る。S５１３では、システム制御部５０は、表示部２８に表示された編集処理項目の内、チャプター消去処理が選択確定されたか否かを判定する。チャプター消去処理が選択された場合、S５１４へ処理が進み、チャプター消去処理が選択されていない場合、S５１９へ処理が進む。
【００４７】
S５１４では、システム制御部５０は、チャプター削除状態に遷移させ、処理S5１５へ処理が進む。S５１５では、システム制御部５０は、表示部２８に表示されたチャプター一覧の内、消去したいチャプターを選択したか否かを判断し、チャプターが選択された場合、S５１６へ処理が進み、チャプターが選択されていない場合、S５１８へ処理が進む。S５１６では、システム制御部５０は、選択されたチャプターを消去し、S５１７へ処理が進む。S５１７では、システム制御部５０は、S５０２で記憶した動画ファイルのチャプター順を削除後のチャプター順情報で更新して、S５１８へ処理が進む。
【００４８】
S５１８では、システム制御部５０は、チャプター消去状態が終了されたか否かを判断し、終了された場合、S５０4へ処理が戻り、終了されていない場合、S５１５へ処理が戻る。S５１９では、システム制御部５０は、S３０６動画選択処理へ戻るが選択されたか否かを判断し、S３０６動画選択処理へ戻るが選択された場合、図３のS３０６へ処理が戻る。
【００４９】
一方、選択されていないと判断した場合、S５２０へ処理が進む。S５２０では、システム制御部５０は、並び替えおよび消去編集処理の完了が選択されたか否かを判断し、並び替えおよび消去編集処理の完了が選択されたと判断した場合、並び替えおよび消去編集処理を完了し、図３のS３０８へ処理が進む。
【００５０】
図６に、図３のS30８の詳細を示す効果付加および保存処理のフローチャートを示す。この処理は、システム制御部５０が不揮発性メモリ５６に記録されたプログラムをメモリ５２に展開して実行することで実現する。
【００５１】
S６００では、システム制御部５０は、効果付加および保存処理の一覧を表示部２８に表示して、S６０１へ処理が進む。S６０１では、システム制御部５０は、効果付加および保存処理の一覧より、プレビュー再生が選択されたか否かを判断し、プレビュー再生が選択された場合、S６０２へ処理が進み、プレビュー再生が選択されていない場合、S６０３へ処理が進む。S６０２では、システム制御部５０は、S３０８で編集したチャプター情報より、編集後のチャプターを連続してプレビュー再生を行う。
【００５２】
S６０３では、システム制御部５０は、効果付加および保存処理の一覧より、BGM付加が選択されたか否かを判断し、BGM付加が選択された場合、S６０４へ処理が進み、プレビュー再生が選択されていない場合、S６０５へ処理が進む。S６０４では、システム制御部５０は、選択されたBGM情報をメモリ３２に記憶してS６０５へ処理が進む。
【００５３】
S６０５では、システム制御部５０は、S３０７並び替えおよび消去編集処理へ戻るが選択されたか否かを判断し、S３０７並び替えおよび消去編集処理へ戻るが選択された場合、S６０６へ処理がすすむ。一方、選択されていないと判断した場合、S６０７へ処理が進む。S６０６では、効果付加および保存処理で設定されたメモリ３２の情報を破棄して、S３０７へ処理が戻る。S６０７では、システム制御部５０は、効果付加および保存処理の一覧より、保存しないが選択されたか否かを判断し、保存しないが選択された場合、S６０８へ処理が進み、保存しないが選択されていない場合、S６０９へ処理が進む。
【００５４】
S６０８では、システム制御部５０は、本動画編集処理の全情報を破棄してアルバム編集処理を終了し、図３のS３０３へ処理進む。S６０９では、システム制御部５０は、効果付加および保存処理の一覧より、保存するが選択されたか否かを判断し、保存するが選択された場合、S６１０へ処理が進み、保存するが選択されていない場合、S６０１へ処理が戻る。S６１０では、システム制御部５０は、S３０７並び替えおよび消去編集処理及び、効果付加および保存処理で設定されたメモリ３２の情報を元に、新動作ファイルを作成し記憶媒体200に保存して、アルバム編集処理を終了し、図３のステップ３０３へ処理が進む。
【００５５】
なお、システム制御部５０の制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５６】
また、上述した実施形態においては、本発明をデジタルカメラ１００に適用した場合を例にして説明したが、これはこの例に限定されず、動画編集が可能な装置であれば適応可能である。すなわち、本発明はカメラ付きのパーソナルコンピュータやＰＤＡ、カメラ付きの携帯電話端末や携帯型の画像ビューワ、カメラ付きのゲーム機、カメラ付きの電子ブックリーダーなどに適用可能である。
【００５７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５８】
２８  表示部
６１  シャッターボタン
６０  モード切替ダイヤル
１１２  コネクタ
１１１  接続ケーブル
１００  デジタルカメラ
【図１】
2019110374.tif 000003
【図２】
2019110374.tif 000004
【図３】
2019110374.tif 000005
【図４】
2019110374.tif 000006
【図５】
2019110374.tif 000007
【図６】
2019110374.tif 000008
【図７】
2019110374.tif 000009